(57)【要約】【課題】照明ＬＥＤが劣化したときでも、エレベータの利用者に不便をかけない照度を確保することができるエレベータの照明装置の提供。【解決手段】本発明は、白色ＬＥＤ３の照度を測定する照度測定装置４と、照度測定装置４で測定された白色ＬＥＤ３の照度が所定値に満たない状態となったときに、白色ＬＥＤ３に流す電流を増加させる制御を行う中央制御部２とを備えている。また、白色ＬＥＤ３が配置される照明装置室１３の温度を測定する温度測定装置５を備え、中央制御部２は、照明装置室１３の温度と、白色ＬＥＤ３に流すことを許容する許容電流との関係を記憶する記憶部を有し、中央制御部２は、温度測定装置５で測定された照明装置室１３の温度と、記憶部に記憶された関係とに基づいて、照明装置室１３の温度に対応する許容電流を求め、白色ＬＥＤ３に流す電流が前述の対応する許容電流を越えないように制御する。【選択図】図１
2014211968.tif 000002
【特許請求の範囲】
【請求項１】
照明ＬＥＤを有するエレベータの照明装置において、
前記照明ＬＥＤの照度を測定する照度測定装置と、前記照度測定装置で測定された前記照明ＬＥＤの照度が所定値に満たない状態となったときに、前記照明ＬＥＤに流す電流を増加させる制御を行う制御部とを備えたことを特徴とするエレベータの照明装置。
【請求項２】
請求項１に記載のエレベータの照明装置において、
前記照明ＬＥＤが配置される照明装置室と、この照明装置室の温度を測定する温度測定装置とを備え、
前記制御部は、前記照明装置室の温度と、前記照明ＬＥＤに流すことを許容する許容電流との関係を記憶する記憶部を有し、
前記制御部は、前記温度測定装置で測定された前記照明装置室の温度と、前記記憶部に記憶された関係とに基づいて、前記照明装置室の温度に対応する許容電流を求め、前記照明ＬＥＤに流す電流が前記対応する許容電流を越えないように制御することを特徴とするエレベータの照明装置。
【請求項３】
請求項２に記載のエレベータの照明装置において、
前記制御部は、選択的に許容電流を超える電流を前記照明ＬＥＤに流す処理を行なう電流選択部を有することを特徴とするエレベータの照明装置。
【請求項４】
請求項２または３に記載のエレベータの照明装置において、
前記照明ＬＥＤは、かご室内の上部に位置する照明装置室に配置され、前記かご室内を照らす白色ＬＥＤから成り、
前記照明装置室に、この照明装置室内の熱を外部に排出させる換気扇を設けたことを特徴とするエレベータの照明装置。
【発明の詳細な説明】
【技術分野】
【０００１】
本発明は、照明ＬＥＤを有するエレベータの照明装置に関する。
【背景技術】
【０００２】
従来、輝度及び色むらの少ない演色性を改善するＬＥＤ照明装置の発光方法として、特許文献１に、白色ＬＥＤ照明装置の該白色ＬＥＤを発光させるときの電流量を、定格電流値以下で発光させ、好ましくは定格電流値の略１４％から７５％の範囲、または白色ＬＥＤ固有の特性の相違により選択される投入電流値であって、発光する最低電流値以上から色調輝度が適正となる電流値以後近傍以下の範囲で発光できるように、白色ＬＥＤの投入電流を制限して照明光を得るようにした技術が提案されている。
【先行技術文献】
【特許文献】
【０００３】
【特許文献１】特開２０１１−１４１９５２号公報
【発明の概要】
【発明が解決しようとする課題】
【０００４】
前述した特許文献１には、輝度むら及び色むらを少なくするＬＥＤ照明装置については開示が有るが、ＬＥＤ照明装置の使用後に白色ＬＥＤが経年的に劣化した場合の対応については考慮がなされていない。
【０００５】
したがって、前述した従来技術を本発明が対象としているエレベータの照明装置に採用した場合には、白色ＬＥＤが経年的に劣化した場合に、エレベータの利用者に対するサービス性が低下する懸念がある。
【０００６】
なお、白色ＬＥＤに限らず、ＬＥＤ全般の特性として、ＬＥＤは気温や発光のために流れる電流で発生する自己発熱による周囲温度の上昇に従って流すことができる許容電流が減少する。温度が上昇して許容電流が小さくなった状態で定格電流を流すと、定格電流と許容電流の差分はＬＥＤの発光に全く寄与しないだけでなく、過大な電流をＬＥＤに流すことになる。したがって、これによりＬＥＤにダメージを与え、寿命を短縮させてしまうことになる。
【０００７】
本発明は、上述した従来技術における実情からなされたもので、その目的は、照明ＬＥＤが劣化したときでも、エレベータの利用者に不便をかけない照度を確保することができるエレベータの照明装置を提供することにある。
【課題を解決するための手段】
【０００８】
前記目的を達成するために、本発明に係るエレベータの照明装置は、照明ＬＥＤを有するエレベータの照明装置において、前記照明ＬＥＤの照度を測定する照度測定装置と、前記照度測定装置で測定された前記照明ＬＥＤの照度が所定値に満たない状態となったときに、前記照明LEDに流す電流を増加させる制御を行う制御部とを備えたことを特徴としている。
【発明の効果】
【０００９】
本発明は、照明ＬＥＤが劣化し照度が低下したことが照度測定装置で測定されたとき、制御部によって照明ＬＥＤに流す電流を増加させる制御が行われ、これによって照明ＬＥＤの照度をエレベータの利用者に不便をかけない照度に自動的に回復させることができる。すなわち本発明は、照明ＬＥＤが劣化したときでも、エレベータの利用者に不便をかけない照度を確保することができ、利用者に対するサービス性を向上させることができる。
【図面の簡単な説明】
【００１０】
【図１】本発明に係るエレベータの照明装置の概略構成を示すブロック図である。
【図２】本実施形態に備えられる照明ＬＥＤ、照度測定装置、及び温度測定装置のかご内における配設形態の一例を示す図である。
【図３】本実施形態に備えられる中央制御部に含まれる記憶部に記憶される周囲温度と許容電流比率との関係を示す図である。
【発明を実施するための形態】
【００１１】
以下、本発明に係るエレベータの照明装置の実施の形態を図面に基づいて説明する。
【００１２】
図１に示すように、本実施形態に備えられ、かごに設けられる照明部１は、かご室内１４を照らす照明ＬＥＤ、例えば白色ＬＥＤ３と、この白色ＬＥＤ３の照度を測定し、照度計測値Ｒ１を出力する照度測定装置４と、照明装置室１３内の温度、すなわち白色ＬＥＤ３の周囲温度を測定し、温度測定値Ｒ２を出力する温度測定装置５と、排熱用の換気扇６と、かご室１４を照らす白色ＬＥＤ３と換気扇６へ電流を供給する電源装置７とを備えている。
【００１３】
また、本実施形態は、照度測定装置４から出力される照度測定値Ｒ１と温度測定装置５から出力される温度計測値Ｒ２を入力し、電源装置７を制御する制御部、すなわち中央制御部２を備えている。この中央制御部２は、照度測定装置４で測定された白色ＬＥＤ３の照度すなわち照度計測値Ｒ１が、所定値、例えば初期値の７０％に満たない状態となるときに、白色ＬＥＤ３に流す電流を増加させるように電源装置７を制御する。前述の初期値は、エレベータの新設時や白色ＬＥＤ３の交換時に、照度測定装置の出力レベルを図示しない保全用端末や図示しないディツプスイッチの操作等によって調整することによって設定される。
【００１４】
また、この中央制御部２は、図３に示すように、照明装置室１３の温度すなわち白色ＬＥＤ３の周囲温度１５と、白色ＬＥＤ３に流すことを許容する許容電流比率（白色ＬＥＤ３の定格電流に対する許容電流の割合）１６との関係を記憶する記憶部を有し、温度測定装置５で測定された照明装置室１３の温度すなわち温度計測値Ｒ２と、前述の記憶部に記憶された関係とに基づいて、照明装置室１３の温度に対応する許容電流比率の演算値１７を求め、照明ＬＥＤ３に流す電流が前述の対応する許容電流比率の演算値１７を越えないように電源装置７を制御する。
【００１５】
なお、この中央制御部２は、選択的に許容電流を超える電流を一時的に白色ＬＥＤ３に流す動作を行う図示しない電流選択部を含んでいる。
【００１６】
また、図１に示すように、本実施形態は、中央制御部２に接続され、かご内室１４を照らす白色ＬＥＤ３に異常が検知された場合に、外部に設置される図示しない監視センタに発報する外部発報装置８を備えている。
【００１７】
図２に示すように、電流を流すと発光する本実施形態の白色ＬＥＤ３は、かご天板９に設けられている。かご天板９に締結されたかご側板１０に設けたブラケット１１に載せられた遮蔽板１２によって、照明装置室１３とかご内室１４とが仕切られ、白色ＬＥＤ３から発せられた光は、遮蔽板１２に形成された図示しないスリットを介してかご室内１４に照射され、かご内室１４を照らすようになっている。照明装置室１３を形成するかご側板１０の壁面には、照度測定装置４と温度測定装置５とを取り付けてある。照明装置室１３内の熱を外部に排出させる前述の換気扇６は、例えばかご天板９に設けてある。
【００１８】
なお、呼び無し休止時には白色ＬＥＤが消灯して、白色ＬＥＤ３の球切れ、すなわち寿命に至ったと誤認される虞がある。これを防止するために、本実施形態は、呼び無し休止時には、照度測定装置４の動作をキャンセルする図示しない回路も備えている。
【００１９】
このように構成した本実施形態は、かごの昇降に伴って照度測定装置４が動作し、この照度測定装置４によって測定された照度測定値Ｒ１が中央制御部２に出力される。中央制御部２は、照度測定値Ｒ１の値が初期値の７０％未満となったかどうか判定する。ここで経年的に白色ＬＥＤ３が劣化して、照度測定値Ｒ１が７０％未満と判定されたときには、白色ＬＥＤ３に流す電流を増加させ、照度測定値Ｒ１が初期値の７０％以上となるように、中央制御部２は電源装置７を制御する。中央制御部２は、照度測定値Ｒ１が初期値の７０％以上になったと判定したとき、白色ＬＥＤ３に流す電流増加を停止させるように電源装置７を制御する。
【００２０】
ここで、白色ＬＥＤ３に流す電流値を定格電流値とした時点でも、中央制御部２で、照度測定装置Ｒ１が初期値の７０％に達していないと判定されたときには、該当する白色ＬＥＤ３が寿命に至ったことを示しており、中央制御部２は白色ＬＥＤ３に流す電流増加を停止させるように電源装置７を制御するとともに、外部発報装置８を介して外部の図示しない監視センタにかごの照明部１に備えられる白色ＬＥＤ３に異常を生じている旨の発報処理を行なう。この発報を受けた図示しない監視センタは、白色ＬＥＤ３の交換を行うなど迅速な対応をとることができる。
【００２１】
また、本実施形態は、白色ＬＥＤ３に流す許容電流を考慮した制御も行うものである。図３に示す関係は、照明装置室１３の温度、すなわち白色ＬＥＤ３の周囲温度１５が上昇するに従って許容電流比率１６の演算値１７が低下する関係となっている。前述したように、白色ＬＥＤ３の許容電流比率の演算値値１７が低下した状態で、白色ＬＥＤ３に流す電流を増加させる際に、許容電流を超える電流を白色ＬＥＤ３に流すと、許容電流を超えた分の電流は白色ＬＥＤ３の発光になんら寄与せず、白色ＬＥＤ３にダメージを与え、かご天板９に設けられた白色ＬＥＤ３の寿命を縮めることになる。
【００２２】
ここで、照度測定値Ｒ１が初期値７０％以下と判定されたとき、前述のように白色ＬＥＤ３に流す電流を増加させる制御が行われるが、このとき中央制御部２は、温度測定装置５から出力される温度測定値Ｒ２に基づいて対応する許容電流比率の演算値１７を求め、この演算値１７を超えない電流を白色ＬＥＤ３に流すように電源装置７を制御する。白色ＬＥＤ３に流す電流が許容電流比率の演算値１７を超えない範囲で照度測定値Ｒ１が初期値の７０％以上を確保できないときは、中央制御装置２は換気扇６を動作させる制御を行い、照明装置室１３の排熱を行う。この排熱によって照明装置室１３の温度が下がり、許容電流比率の演算値１７を増加させることができる。これに伴って白色ＬＥＤ３に流す電流を徐々に増加させることができる。以下照度測定値Ｒ１が初期値の７０％以上となるまで、中央制御部２による白色ＬＥＤ３に流す電流の増加制御と、照度測定値Ｒ１の判定必要に応じて繰り返し行なわれる。
【００２３】
換気扇６の電源は、白色ＬＥＤ３の電源とは別途設けることが考えられるが、本実施形態におけるように白色ＬＥＤ３の電源と共用する電源回路を構成することで、白色ＬＥＤ３に流れる電流のうち許容電流を超える電流値で換気扇６を動作させることができる。このようにすることにより、白色ＬＥＤ３の許容電流の上昇に従って換気扇６に流れる電流が減少し、換気扇６の動作を制御することができる。
【００２４】
なお、中央制御部２における制御を、温度測定装置５の温度測定値Ｒ２が特定の温度に下がるまで白色ＬＥＤ３に流す電流を増加させない制御とすることもできる。このようにした場合には、白色ＬＥＤ３へのダメージを低減させることができる。
【００２５】
ところで、気温の高い夏季では換気扇６を動作させても照明装置室１３の温度が下がらず、照度が初期値の７０％以下になっても白色ＬＥＤ３に流す電流を増加させることができず、白色ＬＥＤ３が寿命に至ったかどうかの判断が難しくなる場合がある。このようなときには、本実施形態の中央制御部２に備えられる図示しない電流選択部を作動させて、一時的に白色ＬＥＤ３に許容電流を超え、定格電流までの大きな電流を流すように制御すればよい。このような比較的大きな電流を白色ＬＥＤ３に流すことにより、白色ＬＥＤ３の照度を初期値の７０％以上とすることができる。また、このように比較的大きな電流を流しても測定された照度測定値Ｒ１が初期値の７０％に至らないと判定されたときには、白色ＬＥＤ３が寿命に至ったと判断することができる。
【００２６】
本実施形態に係るエレベータの照明装置によれば、前述したように白色ＬＥＤ３が劣化し照度が低下したことが照度測定装置４で測定されたとき、中央制御部２によって照明ＬＥＤ３に流す電流を増加させる制御が行われ、これによって白色ＬＥＤ３をエレベータの利用者に不便をかけない初期値の７０％以上の照度に自動的に回復させることができる。すなわち本実施形態は、白色ＬＥＤ３が劣化したときでも、エレベータの利用者に不便をかけない照度を確保することができ、利用者に対するサービス性を向上させることができる。
【符号の説明】
【００２７】
１    照明部
２    中央制御部
３    白色ＬＥＤ（照明ＬＥＤ）
４    照度測定装置
５    温度測定装置
６    換気扇
７    電源装置
８    外部発報装置
９    かご天板
１０    かご側板
１１    ブラケット
１２    遮蔽板
１３    照明装置室
１４    かご内室
１５    周囲温度
１６    許容電流比率
１７    演算値
Ｒ１    照度計測値
Ｒ２    温度計測値    
【図１】
2014211968.tif 000003
【図２】
2014211968.tif 000004
【図３】
2014211968.tif 000005